(57)【要約】【課題】ベランダと外部との境界部およびベランダと部屋との境界部の双方に、ガラリ戸を配置できるガラリ戸付き建物を提供する。【解決手段】部屋に隣接してベランダ１１が設けられ、ベランダ１１と外部との境界部にガラリ戸３０が左右方向に移動可能に設けられ、このガラリ戸３０がベランダ１１の端部において、前後に移動可能に設けられ、さらに、前記ガラリ戸３０がベランダ１１と前記部屋との境界部において左右方向に移動可能に設けられているので、ベランダ１１と外部との境界部およびベランダ１１と部屋との境界部の双方に、ガラリ戸３０を配置できる。【選択図】図５
2010216147.tif 000002
【特許請求の範囲】
【請求項１】
部屋に隣接して縁側またはベランダが設けられ、前記縁側またはベランダと外部との境界部にガラリ戸がその表面を左右方向と平行にして、前記縁側またはベランダに沿って左右方向に移動可能に設けられたガラリ戸付き建物において、
前記ガラリ戸がその表面を左右方向と平行にして、前記縁側またはベランダの端部において、前後に移動可能に設けられ、
さらに、前記ガラリ戸がその表面を左右方向と平行にして、前記縁側またはベランダと前記部屋との境界部において左右方向に移動可能に設けられていることを特徴とするガラリ戸付き建物。
【請求項２】
請求項１に記載のガラリ戸付き建物において、
前記縁側またはベランダの天井部に、前後に離間して前横レールと後横レールとが互いに平行に設けられるとともに、これら前後の横レールを繋ぐ縦レールが前記前後の横レールと直角に設けられており、
前記ガラリ戸が吊戸であり、この吊戸の上端部に、前記前後の横レールおよび縦レールを移動可能な吊り車が設けられていることを特徴とするガラリ戸付き建物。
【請求項３】
請求項１または２に記載のガラリ戸付き建物において、
前記縁側またはベランダと外部との境界部に、ガラス面材とこのガラス面材の上端部に設けられた手摺とを備えたガラス手摺が、前記縁側またはベランダと外部との境界部に位置するガラリ戸より外側に設けられていることを特徴とするガラリ戸付き建物。
【請求項４】
請求項１〜３のいずれか一項に記載のガラリ戸付き建物において、
前記ガラリ戸に、防虫網が前記ガラリ戸の表面を覆うようにして取り付けられていることを特徴とするガラリ戸付き建物。
【請求項５】
請求項１〜４のいずれか一項に記載のガラリ戸付き建物において、
前記縁側またはベランダの両端部が建物本体の外壁から延出する両袖壁に接合されていることを特徴とするガラリ戸付き建物。
【発明の詳細な説明】
【技術分野】
【０００１】
本発明は、縁側またはベランダと外部との境界部にガラリ戸が縁側またはベランダに沿って左右方向に移動可能に設けられたガラリ戸付き建物に関する。
に関する。
【背景技術】
【０００２】
縁側と外部との境界部にガラリ戸が縁側に沿って左右方向に移動可能に設けられたガラリ戸付き建物の一例として特許文献１に記載のものが知られている。
このガラリ戸付き建物では、ガラス窓の前方に濡れ縁を配置し、該濡れ縁の前方に目隠し日除け（ガラリ戸）を配置し、該ガラリ戸は、ドア枠に板材を間隙を設けて架設したスライド開き戸により構成している。
このようなガラリ戸は、１枚１枚が分離して開閉レールに沿って移動され、戸袋の部分に重複した状態で収納可能となっている。
【先行技術文献】
【特許文献】
【０００３】
【特許文献１】特開２００１−４０８８７号公報
【発明の概要】
【発明が解決しようとする課題】
【０００４】
ところで、前記従来のガラリ戸付き建物では、ガラリ戸が縁側の前方、つまり、縁側と外部との境界部に配置されているだけであるので、縁側と部屋との境界部にガラリ戸を配置することはできない。
例えば、夏季の夜などは、縁側と部屋との境界部にガラリ戸を配置した方が風を部屋に通し易い。また、ベランダに面する部屋から、ベランダに幼児を出させないようにするために、ベランダと部屋との境界部にガラリ戸を配置したいという要望もある。
【０００５】
本発明は上記事情に鑑みてなされたもので、縁側またはベランダと、外部との境界部および縁側またはベランダと、部屋との境界部の双方に、ガラリ戸を配置できるガラリ戸付き建物を提供することを課題としている。
【課題を解決するための手段】
【０００６】
上記課題を解決するために、請求項１に記載の発明は、例えば図２〜図５に示すように、部屋（寝室１２およびホール１３）に隣接して縁側またはベランダ１１が設けられ、前記縁側またはベランダ１１と外部との境界部にガラリ戸３０がその表面を左右方向と平行にして、前記縁側またはベランダ１１に沿って左右方向に移動可能に設けられたガラリ戸付き建物において、
前記ガラリ戸３０がその表面を左右方向と平行にして、前記縁側またはベランダ１１の端部において、前後に移動可能に設けられ、
さらに、前記ガラリ戸３０がその表面を左右方向と平行にして、前記縁側またはベランダ１１と前記部屋（寝室１２およびホール１３）との境界部において左右方向に移動可能に設けられていることを特徴とする。
【０００７】
請求項１に記載の発明によれば、縁側またはベランダ１１と外部との境界部に左右方向に移動可能に設けられたガラリ戸３０がその表面を左右方向と平行にして、縁側またはベランダ１１の端部において、前後に移動可能に設けられ、さらに、前記ガラリ戸３０がその表面を左右方向と平行にして、前記縁側またはベランダ１１と前記部屋（寝室１２およびホール１３）との境界部において左右方向に移動可能に設けられているので、縁側またはベランダ１１と外部との境界部および縁側またはベランダと部屋との境界部の双方に、ガラリ戸を配置できる。
したがって、ガラリ戸３０を縁側またはベランダ１１と外部との境界部に設けることによって、風を通しながら、陽射しを遮ることができ、一方、ガラリ戸３０を縁側またはベランダ１１と部屋（寝室１２およびホール１３）との境界部に設けることによって、部屋（寝室１２およびホール１３）に風を通し易くなるとともに、ベランダ１１に幼児が出るのを防止できる。
また、ガラリ戸３０を縁側または縁側またはベランダ１１の端部に配置することによって、この端部に収納できる。
【０００８】
請求項２に記載の発明は、例えば図５〜図８に示すように、請求項１に記載のガラリ戸付き建物において、
前記縁側またはベランダ１１の天井部に、前後に離間して前横レール３１と後横レール３２とが互いに平行に設けられるとともに、これら前後の横レール３１，３２を繋ぐ縦レール３３が前記前後の横レール３１，３２と直角に設けられており、
前記ガラリ戸３０が吊戸であり、この吊戸３０の上端部に、前記前後の横レール３１，３２および縦レール３３を移動可能な吊り車３５が設けられていることを特徴とする。
【０００９】
請求項２に記載の発明によれば、ガラリ戸（吊戸）３０の上端部に設けられた吊り車３５が前後の横レール３１，３２と縦レール３３を移動することによって、ガラリ戸３０を左右方向および前後方向にスムーズに移動させることができる。
【００１０】
請求項３に記載の発明は、例えば図２〜図５に示すように、請求項１または２に記載のガラリ戸付き建物において、
前記縁側またはベランダ１１と外部との境界部に、ガラス面材とこのガラス面材の上端部に設けられた手摺とを備えたガラス手摺４５が、前記縁側またはベランダ１１と外部との境界部に位置するガラリ戸３０より外側に設けられていることを特徴とする。
【００１１】
請求項３に記載の発明によれば、ガラリ戸３０を縁側またはベランダ１１の端部に配置して収納した場合に、ガラス手摺４５を通して採光を十分に確保できる。
また、ガラス手摺４５が、縁側またはベランダ１１と外部との境界部に位置するガラリ戸３５より外側に設けられているので、ガラリ戸３０を縁側またはベランダ１１と外部との境界部において左右に移動させる場合や、この境界部から縁側またはベランダ１１の端部において、前後に移動させる場合に、ガラス手摺４５が邪魔になることがない。
【００１２】
請求項４に記載の発明は、例えば図１０に示すように、請求項１〜３のいずれか一項に記載のガラリ戸付き建物において、
前記ガラリ戸３０に、防虫網４２が前記ガラリ戸３０の表面を覆うようにして取り付けられていることを特徴とする。
【００１３】
請求項４に記載の発明によれば、ガラリ戸３０に防虫網４２が取り付けられているので、ガラリ戸３０を縁側またはベランダ１１と部屋との境界部に配置した場合に、部屋への虫の侵入を防止できる。
【００１４】
請求項５に記載の発明は、請求項１〜４のいずれか一項に記載のガラリ戸付き建物において、
前記縁側またはベランダ１１の両端部が建物本体の外壁から延出する両袖壁２６，２６に接合されていることを特徴とする。
【００１５】
請求項５に記載の発明によれば、縁側またはベランダ１１の両端部が建物本体の外壁から延出する両袖壁２６，２６に接合されているので、ガラリ戸３０を縁側またはベランダ１１と部屋との境界部に配置することによって、縁側またはベランダ１１が平面視コ字形の凹所となる。したがって、この凹所がウインドキャッチとなって、該凹所に風を容易に取り込むことができるので、ガラリ戸３０を通して部屋に風を容易に取り込むことができる。
【発明の効果】
【００１６】
本発明によれば、縁側またはベランダと外部との境界部にガラリ戸がその表面を左右方向と平行にして、前記縁側またはベランダに沿って左右方向に移動可能に設けられており、このガラリ戸がその表面を左右方向と平行にして、前記縁側またはベランダの端部において、前後に移動可能に設けられ、さらに、前記ガラリ戸がその表面を左右方向と平行にして、前記縁側またはベランダと前記部屋との境界部において左右方向に移動可能に設けられているので、縁側またはベランダと外部との境界部および縁側またはベランダと部屋との境界部の双方に、ガラリ戸を配置できる。
したがって、ガラリ戸を縁側またはベランダと外部との境界部に設けることによって、風を通しながら、陽射しを遮ることができ、一方、ガラリ戸を縁側またはベランダと部屋との境界部に設けることによって、部屋に風を通し易くなるとともに、ベランダに幼児が出るのを防止できる。
また、ガラリ戸を縁側または縁側またはベランダの端部に配置することによって、この端部に収納できる。
【図面の簡単な説明】
【００１７】
【図１】本発明に係るガラリ戸付き建物の一例を示すもので、その１階の平面図である。
【図２】同、２階の平面図である。
【図３】同、正面図である。
【図４】同、縦断面図である。
【図５】同、ベランダの端部の天井部を示す平面図である
【図６】同、前後の横レールおよび縦レール示す平断面である。
【図７】同、図６におけるＡ−Ａ線断面図である。
【図８】同、図６におけるＢ−Ｂ線断面図である。
【図９】同、ガラリ戸の上端部を示す斜視図である。
【図１０】同、ガラリ戸を示すもので、（ａ）はガラリ戸の正面図、（ｂ）は（ａ）におけるＣ−Ｃ線断面図である。
【発明を実施するための形態】
【００１８】
以下図面を参照して本発明の実施の形態について説明する。
図１は本発明に係るガラリ戸付き建物の１階の平面図、図２は同２階の平面図、図３は同正面図、図４は同縦断面図である。
まず、図１に示すように、１階には南側に縁側１が配置されており、この縁側１の北側に居間２と寝室３とが東西に隣接して配置されている。寝室３の北側には納戸４が配置されており、この納戸４の北側に浴室５が配置されている。浴室５の西側には洗面室６が配置されており、この洗面室６の西側にキッチン７が配置されている。居間２とキッチン７の西側には土間８，９が南北に隣接して配置されており、土間８の南側に玄関１０が配置されている。
【００１９】
そして、１階においては、玄関ホール土間１０ａと玄関ポーチとを仕切る壁に設けられた開口部、土間８，９を仕切る壁に設けられた開口部、土間９と外部を仕切る壁に設けられた開口部がほぼ南北一直線上に配置されている。また、居間２と縁側とを仕切る壁に設けられた開口部、キッチン７と外部とを仕切る壁に設けられた開口部がほぼ南北一直線上に配置されている。さらに、寝室３と縁側１とを仕切る壁に設けられた開口部、寝室３と納戸前を仕切る壁に設けられた開口部、納戸前と洗面室６とを仕切る壁に設けられた開口部、洗面室６と外部とを仕切る壁に設けられた開口部がほぼ南北一直線上に配置されている。これによって、１階においては、矢印で示すように、南北に風が抜けるようになっている。
【００２０】
図２に示すように、２階には南側にベランダ１１が配置されており、このベランダ１１の北側に、寝室１２とホール１３とが東西に隣接して配置されている。寝室１２の北側にはウォークインクローゼット１４を挟んで寝室１５が配置されており、ウォークインクローゼット１４には、寝室１２，１５の双方から出入り可能となっている。また、ウォークインクローゼット１４の西側にはホール１６が配置されており、このホール１６から寝室１２，１５に出入りするようになっている。
前記ホール１３の北側は１階の居間２から２階の天井まで吹き抜ける吹抜け１７となっており、この吹抜け１７の北側に寝室１８が配置されている。前記ホール１３と寝室１８との間には廊下１９が配置されており、この廊下１９の西側に納戸２０が配置されている。
【００２１】
そして、２階においては、ベランダ１１とホール１３とを仕切る壁に設けられた開口部、寝室１８と外部とを仕切る壁に設けられた開口部がほぼ南北一直線上に配置されている。また、ベランダ１１と寝室１２とを仕切る壁に設けられた開口部、寝室１２とホール１６とを仕切る壁に設けられた開口部、ホール１６と寝室１５とを仕切る壁に設けられた開口部、寝室１５と外部とを仕切る壁に設けられた開口部がほぼ南北一直線上に配置されている。これによって、２階においても１階と同様に、矢印で示すように、南北に風が抜けるようになっている。
【００２２】
また、図４に示すように、前記吹抜け１７を下から上に風が抜け、この風は寝室１８と外部とを仕切る壁に設けられた開口部を通して外部に抜けるようになっている。さらに、吹抜け１７の上方にはロフト２１が配置されており、ベランダ１１から入った風はロフト２１を通ったうえで、寝室１８と外部とを仕切る壁に設けられた開口部を通して外部に抜けるようになっている。
このように、本実施の形態のガラリ戸付き建物では、風が南北に抜け易い構造となっている。
【００２３】
前記ベランダ１１は、図２に示すように、寝室１２およびホール１３に隣接して配置されており、ベランダ１１と寝室１２およびホール１３とを仕切る壁には、ベランダ１１に行き来するための開口部２２，２３が設けられている。開口部２２，２３はサッシ戸２５によって開閉されるようになっている。
また、ベランダ１１の両端部は、建物本体の外壁から延出する両袖壁２６，２６に接合されている。
ベランダ１１と外部との境界部には、４枚のガラリ戸３０がその表面を左右方向と平行いして、ベランダ１１に沿って左右方向に移動可能に設けられている。
また、ガラリ戸３０は、その表面を左右方向と平行にして、ベランダ１１の西側の端部において、前後に移動可能に設けられ、さらに、ガラリ戸３０はその表面を左右方向と平行にして、ベランダ１１と部屋（寝室１２およびホール１３）との境界部において左右方向に移動可能に設けられている。
【００２４】
前記ガラリ戸３０の移動機構について以下に説明する。
図５は、ベランダ１１の西側の端部の天井部を示す平面図である。この図に示すように、ベランダ１１の天井部には、前後（南北）に離間して前横レール３１と後横レール３２とが互いに平行に設けられている。前横レール３１はベランダ１１の天井部と外部との境界部に設けられており、後横レール３２はベランダ１１の天井部と部屋（寝室１２およびホール１３）との境界部に設けられている。
また、ベランダ１１の天井部には、前後の横レール３１，３２を繋ぐ縦レール３３，３３が前後の横レール３１，３２と直角にかつ互いに平行に設けられている。縦レール３３，３３はベランダ１１の西側の端部の天井部に設けられている。また、縦レール３３，３３間の距離は、ガラリ戸３０の左右の幅より若干短くなっている。
【００２５】
図６〜図８に示すように、前記前後の横レール３１，３２と縦レール３３とは、四角筒状に形成されており、その下壁部には、レールの長手方向に沿ってスリットＳ１が形成されている。
前後の横レール３１，３２と、縦レール３３との交差部においては、縦レール３３の端面が前後の横レール３１，３２に当接されており、縦レール３３の端部がそれぞれ当接している前後の横レール３１，３２の側壁部には、開口部３４が縦レール３３の端部開口に対向して形成されている。この開口部３４は縦レール３３の端部開口とほぼ等しい形状のものであり、この端部開口と連続している。したがって、前後の横レール３１，３２の内部と縦レール３３の内部とは、前記開口部３４および縦レール３３の端部開口によって連続している。また、前後の横レール３１，３２の下壁部には、縦レール３３の下壁部に形成されたスリットＳ１の延長上にスリットＳ２が前後の横レール３１，３２の長手方向に直交して形成されている。これらスリットＳ１，Ｓ２とは直角に交差しており、交差部において連続している。
【００２６】
前記前横レール３１の内部には、吊り車３５が横レール３１の長手方向に沿って移動可能に設けられている。
すなわち、吊り車３５は左右に離間して設けられた一対の車３５ａ，３５ａと、この一対の車３５ａ，３５ａを連結する車軸３５ｂとを備えている。車軸３５ｂの端部には軸受３５ｃを介して車３５ａが車軸３５ｂ周りに回転可能に取り付けられている。つまり、車軸３５ｂは軸回りには回転不能となっており、この車軸３５ｂの端部において車３５ａが回転可能となっている。
そして、吊り車３５は、その車３５ａ，３５ａが前横レール３１のスリットＳ１の両側に位置する下壁部の上面を転動することによって、前横レール３１に沿って移動可能となっている。
【００２７】
また、前記車軸３５ｂの長手方向中央部には、貫通孔３５ｄが形成されており、この貫通孔３５ｄに取付軸３５ｅが軸周りに回転可能に挿通されている。
取付軸３５ｅは上下に向けて前記貫通孔３５ｄに挿通されており、その上端部には、フランジ部３５ｆが形成され、このフランジ部３５ｆが取付軸３５ｅの上面に軸回りに摺動可能に当接されている。したがって、取付軸３５ｅは、その下方への抜け出が防止されたうえで、軸回りに回転可能となっている。言い換えれば、車軸３５ｂは取付軸３５ｅ回りに回転可能となっている。これによって、車３５ａ，３５ａがその向きを変えることができる、つまり吊り車３５がその向きを変えることができるようになっている。
前記取付軸３５ｅは前横レール３１の下壁部のスリットＳ１を通して下方に延出しており、その下端部には雄ねじ部３５ｇが形成されている。そして、吊り車３５が横レール３１内をその長手方向に沿って移動する際は、取付軸３５ｅはスリットＳ１を移動するようになっている。
【００２８】
一方、前記ガラリ戸３０の上端面には、断面略コ字型の上フレーム３６が固定されており、この上フレーム３６の端部に取付穴３６ａが形成されている。そして、この取付穴３６ａに前記取付軸３５ｅの下端部が挿通されたうえで、その雄ねじ部３５ｇに上フレーム３６の上壁部を挟んでナット３７，３７が螺合され締め付けられている。これによって、ガラリ戸３０は、吊り車３５に吊り下げられた吊り戸３０となって、前横レール３１に沿って左右（図７において紙面と直交する方向）に移動可能となっている。
また、図９に示すように、吊り車３５は、ガラリ戸３０の上フレーム３６の両端部に、それぞれ取り付けられており、取付軸３５ｅは上フレーム３６の上面から上方に突出したうえで、上フレーム３６の長手方向中央部に向けて折曲され、さらに、上方に折曲されて前記車軸３５ｂの貫通孔３５ｄに挿通されている。
【００２９】
前記吊り車３５は、図６に示すように、前横レール３１をその長手方向に沿って移動可能であるとともに、前記縦レール３３、後横レール３２をそれらの長手方向に沿って移動可能である。
すなわち、前横レール３１と縦レール３３との交差部においては、吊り車３５の車軸３５ｂが取付軸３５ｅ回りに９０°回転して、該車軸３５ｂが縦レール３３の長手方向と直交することによって、車３５ａ，３５ａが縦レール３３内をその長手方向に沿って移動可能となり、縦レール３３と後横レール３２との交差部においては、吊り車３５の車軸３５ｂが取付軸３５ｅ回りに回転して、該車軸３５ｂが後横レール３２の長手方向と直交することによって、車３５ａ，３５ａが後横レール３２内をその長手方向に沿って移動可能となる。
また、吊り車３５が前横レール３１から縦レール３３に移動する際は、取付軸３５ｅは前横レール３１のスリットＳ２を通って、縦レール３３のスリットＳ１に移動するようになっており、吊り車３５が縦レール３３から後横レール３２に移動する際は、取付軸３５ｅは後横レール３２のスリットＳ２を通って、後横レール３２のスリットＳ１に移動するようになっている。
【００３０】
前記ガラリ戸３０は、図１０に示すように、上フレーム３６と下フレーム３８との間に、複数の縦材４０・・・を平行離間して配置するとともに、隣り合う縦材４０，４０間にこれらを繋ぐ横材４１を架設して構成されたものである。横材４１は縦材４０より細くなっており、上下に所定間隔で設けられている。つまり、ガラリ戸３０は上下のフレーム３６，３８間に、縦材４０と横材４１とを格子状に組み立てた格子状フェンスを設けたものであり、格子空間によって通風および斜め上方からの陽射しの遮光が可能となっている。
また、ガラリ戸３０には、防虫網４２がガラリ戸３０の表面を覆うようにして取り付けられている。
【００３１】
また、前記ベランダ１１と外部との境界部には、ガラス手摺４５がベランダ１１と外部との境界部に位置するガラリ戸３０より外側に設けられている。このガラス手摺４５はガラス面材とこのガラス面材の上端部に設けられた手摺とを備えたものである。
また、ガラス面材の下端と、ベランダ１１の床面との間に隙間を設けてもよい。このようにすれば、その隙間から通風をとることができる。さらに、ガラス面材を複数の帯板状のガラス面材をブラインド状に重ねて開閉可能としたジャロジー窓によって構成してもよい。
【００３２】
本実施の形態のガラリ戸付き建物では、例えば、図２に示すように、ベランダ１１と外部との境界部に、ガラリ戸３０をその表面を左右方向と平行にして左右に移動可能に設ける。つまり、各ガラリ戸３０を吊り下げている吊り車３５を前横レール３１に移動可能に設ける。
この場合、２枚のガラリ戸３０，３０をそれぞれベランダ１１の左右両端部に配置するとともに、残り２枚のガラリ戸３０，３０を互いに隣接させてベランダ１１の中央部に配置する。このようにすると、ガラリ戸３０によって、斜め上方からの陽射しを遮蔽できるとともに、矢印で示すように、南北に風が抜ける。また、ガラリ戸３０を前横レール３１に沿って適宜左右に移動させて配置することによって、陽射しを所望の位置で遮蔽できる。つまり、太陽の移動に伴って移動する陽射しを効果的に遮蔽できる。
【００３３】
次に、ベランダ１１と外部との境界部を全開したい場合、すなわちベランダ１１の前面を全開としたい場合、ガラリ戸３０を掴んでベランダ１１の西側の端部に向けて押し込むまたは引き込んで、前記吊り車３５を、前横レール３１内をその長手方向に沿って端部側に移動させることによって、ガラリ戸３０を前横レール３１に沿ってベランダ１１の西側の端部に１枚ずつ移動させたうえで、このベランダ１１の端部において、ガラリ戸３０をその表面を左右方向と平行にした状態で、ガラリ戸３０を掴んで後方に押し込むまたは引き込んで、吊り車３５を前縦レール３３内をその長手方向に沿って移動させることによって、ガラリ戸３０を縦レール３３に沿って後方に移動させる。
【００３４】
そして、このベランダ１１の端部に４枚のガラリ戸３０を配置することによって、ベランダ１１の前面がほぼ全開となる。ベランダ１１と外部との境界部にはガラス手摺４５があるので、採光と通風を十分に確保できる。また、ベランダ１１の端部に４枚のガラリ戸３０を配置することによって、これらガラリ戸３０を収納できる。
また、ガラス手摺４５が、ベランダと外部との境界部に位置するガラリ戸３０より外側に設けられているので、ガラリ戸３０をベランダ１１と外部との境界部において左右に移動させる場合や、この境界部からベランダ１１の端部において、前後に移動させる場合に、ガラス手摺４５が邪魔になることがない。
【００３５】
次に、ガラリ戸３０をベランダ１１と部屋（寝室１２およびホール１３）との境界部に設ける場合、ガラリ戸３０を掴んで右側（東側）に押し込むまたは引き込んで、前記吊り車３５を縦レール３３の後端部から、後横レール３２内をその長手方向に沿って移動させることによって、ガラリ戸３０を後横レール３２に沿って移動させて、部屋（寝室１２およびホール１３）の前に配置する。このようにすると、部屋（寝室１２およびホール１３）に風を通し易くなるとともに、ベランダ１１に幼児が出るのを防止できる。
【００３６】
また、ガラリ戸３０に防虫網４２が取り付けられているので、部屋（寝室１２およびホール１３）への虫の侵入を防止できる。
さらに、ベランダ１１の両端部が建物本体の外壁から延出する両袖壁２６，２６に接合されているので、上記のように、ガラリ戸３０をベランダ１１と部屋（寝室１２およびホール１３）との境界部に配置することによって、ベランダ１１が平面視コ字形の凹所となる。したがって、この凹所がウインドキャッチとなって、該凹所に風を容易に取り込むことができるので、ガラリ戸３０を通して部屋（寝室１２およびホール１３）に風を容易に取り込むことができる。
【００３７】
なお、本実施の形態において、ガラリ戸３０の枚数を増やし、ベランダ１１と外部との境界部の全域に亙ってガラリ戸３０を配置することによって、すなわち、ベランダ１１の前面の全部にガラリ戸３０を配置することによって、斜め上方からの陽射しをほぼ完全に遮蔽できるとともに、ベランダ１１への侵入を防止できるので、防犯対策にもなる。
また、本実施の形態では、ガラリ戸３０を２階のベランダ１１に設けたが、これに加えて１階の縁側１に設けてもよい。この場合も縁側１の天井部に、前後の横レール３１，３２および縦レール３３を設け、ガラリ戸３０の上端部に、前後の横レール３１，３１および縦レール３３を移動可能な吊り車３５を設ければよい。
【符号の説明】
【００３８】
１１  ベランダ
１２  寝室（部屋）
１３  ホール（部屋）
２６  袖壁
３０  ガラリ戸
３１  前横レール
３２  後横レール
３３  縦レール
３５  吊り車
４２  防虫網
４５  ガラス手摺
【図１】
2010216147.tif 000003
【図２】
2010216147.tif 000004
【図３】
2010216147.tif 000005
【図４】
2010216147.tif 000006
【図５】
2010216147.tif 000007
【図６】
2010216147.tif 000008
【図７】
2010216147.tif 000009
【図８】
2010216147.tif 000010
【図９】
2010216147.tif 000011
【図１０】
2010216147.tif 000012